(57)【要約】【課題】再給紙路の記録紙の搬送用ローラのニップ圧力分布が係止手段の精度により記録紙の送りを悪する。該記録紙の搬送性を解決することを目的とする。【解決手段】記録紙両面に画像を形成する再給紙手段を有する引き出し可能なユニットの再給紙手段が該ユニットの支持枠体に底部に構成され該再給紙手段の通紙側の反対面に弾性部材を有し、該支持枠体と弾性部材を有する開閉可能なガイド板とを係止できる係止手段を有し、弾性部材を有するガイド板の面に対向する装置本体面に位置決め部材を有する補助案内部材を備え、該位置決め部材に案内されるユニットの挿入時、前記ユニット板の係止後、所定位置まで進み、該弾性部材と位置決め部材からなる押止手段を介して前記ユニット板の前側端部を前記支持枠体に押止して位置決めできる構成である画像形成装置を提供する。【選択図】        図７
2004231413.tif 000002
【特許請求の範囲】
【請求項１】
画像形成手段と、片面に画像を形成した記録紙を再び該画像形成手段に搬送し該記録紙の他面に画像を形成するための再給紙手段を有する引き出し可能なユニットを有し、
前記再給紙手段が、固定ガイド板と開閉可能なガイド板とで形成され、該再給紙手段は前記ユニットの下部に設けられ、且つ前記ユニットと前記開閉可能なガイド板とを係止できる係止手段を有し、前記開閉可能なガイド板の下部に対向する装置本体側に、位置決め部材を有する補助案内部材を備え、該位置決め部材に沿って案内される前記ユニットの挿入時、前記開閉可能なガイド板の係止後、所定位置まで進み、前記位置決め部材により前記開閉可能なガイド板を前記ユニットに押止して位置決めできる構成であることを特徴とする画像形成装置。
【請求項２】
前記開閉可能なガイド板の下部であって、前記位置きめ部材に対向する位置に弾性部材を構成することを特徴とする請求項１に記載の画像形成装置。
【請求項３】
前記位決め部材が、摺動性の良い部材であることを特徴とする請求項１又は請求項２に記載の画像形成装置。
【請求項４】
前記位決め部材が、コロであることを特徴とする請求項１又は請求項２に記載の画像形成装置。
【請求項５】
前記開閉可能なガイド板には、前記ユニットとの係止及び解除のできる操作レバーが設けられていることを特徴とする請求項１乃至請求項４の何れか１項に記載の画像形成装置。
【請求項６】
前記係止手段は、前記ユニットに設けられる固定部材と開閉可能なガイド板に設けられる、回動可能な係止爪とからなることを特徴とする請求項１乃至請求項５の何れか１項に記載の画像形成装置。
【請求項７】
前記係止手段は、マグネットであることを特徴とする請求項１乃至請求項５の何れか１項に記載の画像形成装置。
【発明の詳細な説明】
【０００１】
【発明の属する技術分野】
本発明は、記録紙に画像を形成する画像形成装置に関し、特に両面に画像形成を行う場合に画像形成部に記録紙を再度、搬送するための再給紙手段を有する引き出し可能なユニットの改良に係わる。
【０００２】
【従来の技術】
記録紙の表裏両面に画像を形成することができる画像形成装置では、通常、記録紙を該装置の画像形成手段に送って記録紙の片面に画像を形成した後、該記録紙を再度、画像形成手段に送って、他面に画像を形成することによって記録紙の両面に画像が形成される。
【０００３】
前記画像形成装置において、記録紙を再度、画像形成手段に送る部分がユニットとして該装置本体から引き出せるように構成され、該ユニットに形成される通紙路、即ち再給紙路内における記録紙の搬送不良によるジャムやメンテナンスの処理がし易いように構成されている。
【０００４】
従来の画像形成装置における、記録紙の再給紙路は、前記ユニットの下部位置に設けられている、固定のガイド板とその下側に設けてある開閉可能なガイド板との間に形成される、例えば、平行な略２ｍｍの一定長の空間を有している。
【０００５】
そして、再給紙手段である再給紙路は、上下２つの該ガイド板とで蝶番形状に構成され、該蝶番形状のうちの一方の固定のガイド板を含むユニット（後記する支持枠体）に設けられる固定ピンと、もう一方の下側のガイド板の端部に回動可能な操作レバーが設けられている該操作レバーと一体な顎付きの係止爪と、からなる係止手段が備えられ、該係止手段が係合することで形成される。
【０００６】
前記ユニットが画像形成装置本体に挿入されているとき、前記係止爪が前記固定ピンに係止されていて、ガイド板間には前記空間が形成される構成である（例えば、特許文献１）。
【０００７】
【特許文献１】
特開２０００−１９８５７４号公報（図６、段落００５８参照）
【０００８】
【発明が解決しようとする課題】
前記ユニットの下部位置に形成される再給紙路には、記録紙をニップして搬送するための搬送用のローラが設けられている。該ローラのニップ圧分布が、前記係止手段の係止時、係止手段の構成部品の組み立て精度の影響を受けて狂い易く、その結果、ユニット内の記録紙の搬送性が悪くなるという問題がある。
【０００９】
本発明は、このような記録紙の搬送性に関する従来技術の問題を解決することを目的とする。
【００１０】
【課題を解決するための手段】
本発明の目的は、下記の構成により達成することができる。
【００１１】
（１）画像形成手段と、片面に画像を形成した記録紙を再び該画像形成手段に搬送し該記録紙の他面に画像を形成するための再給紙手段を有する引き出し可能なユニットを有し、前記再給紙手段が、固定ガイド板と開閉可能なガイド板とで形成され、該再給紙手段は前記ユニットの下部に設けられ、且つ前記ユニットと前記開閉可能なガイド板とを係止できる係止手段を有し、前記開閉可能なガイド板の下部に対向する装置本体側に、位置決め部材を有する補助案内部材を備え、該位置決め部材に沿って案内される前記ユニットの挿入時、前記開閉可能なガイド板の係止後、所定位置まで進み、前記位置決め部材により前記開閉可能なガイド板を前記ユニットに押止して位置決めできる構成であることを特徴とする画像形成装置。
【００１２】
（２）前記開閉可能なガイド板の下部であって、前記位置きめ部材に対向する位置に弾性部材を構成することを特徴とする（１）に記載の画像形成装置。
【００１３】
（３）前記位決め部材が、摺動性の良い部材であることを特徴とする（１）又は（２）に記載の画像形成装置。
【００１４】
（４）前記位決め部材が、コロであることを特徴とする（１）又は（２）に記載の画像形成装置。
【００１５】
（５）前記開閉可能なガイド板には、前記ユニットとの係止及び解除のできる操作レバーが設けられていることを特徴とする（１）乃至（４）の何れか１項に記載の画像形成装置。
【００１６】
（６）前記係止手段は、前記ユニットに設けられる固定部材と開閉可能なガイド板に設けられる、回動可能な係止爪とからなることを特徴とする（１）乃至（５）の何れか１項に記載の画像形成装置。
【００１７】
（７）前記係止手段は、マグネットであることを特徴とする（１）乃至（５）の何れか１項に記載の画像形成装置。
【００１８】
【発明の実施の形態】
以下、画像形成装置である電子写真方式の複写機に、本発明を適用した一実施の形態について、図面に基づいて説明する。先ず、複写機の全体構成、及び概略プロセスについて、複写機の概略断面図である図１に基づいて説明する。
【００１９】
本実施の形態の複写機は、複写機本体Ａの上部に自動原稿送り装置１を設けると共に、複写機本体内に画像読取装置２、画像形成手段３、記録紙収納手段４、及び搬送手段５を有している。
【００２０】
自動原稿送り装置１は、複写機本体Ａの上部に設けられ、原稿を一枚ずつ送り出し、原稿を画像読取位置へと搬送し、画像の読み取りが終わった原稿を排紙する装置である。自動原稿送り装置１は、原稿を載置する原稿載置台１１、原稿載置台１１上に載置された原稿を分離する原稿分離手段１２、原稿分離手段１２で分離された原稿を搬送する原稿搬送手段１３、原稿搬送手段１３で搬送された原稿を排紙する原稿排紙手段１４、原稿排紙手段１４によって排紙された原稿を受け止め、載置する原稿排紙台１５、及び原稿の両面の画像を読み取る際に原稿の表裏を反転させるための原稿反転手段１６を有している。
【００２１】
又、自動原稿送り装置１は、一体に可倒式に構成されており、この自動原稿送り装置１を起こしてプラテンガラス２２上を開放することにより、プラテンガラス２２上に原稿を直接載置することができるように構成してある。
【００２２】
画像読取装置２は、原稿の画像を読み取り、画像データを得る手段であり、複写機本体の上部に設けられている。この画像読取装置２は、自動原稿送り装置１の原稿搬送手段１３によって搬送されている原稿の画像を読み取るためのスリット状の開口部であるスリット２１、原稿を直接載置（静置）するための原稿台であるプラテンガラス２２、原稿に光照射する光源であるランプ２３１と原稿からの反射光を反射させる第１ミラー２３２とを一体化している第１ミラーユニット２３、第１ミラー２３２からの光を反射させる第２ミラー２４１と第３ミラー２４２とを一体化した第２ミラーユニット２４と、スリット２１上或いはプラテンガラス２２上の原稿からの反射光を後述のラインＣＣＤ２６に結像させる結像手段である結像レンズ２５、及び結像レンズ２５によって結像された光像を光電変換して画像情報を得る画像読取手段であるラインＣＣＤ２６を有している。
【００２３】
画像形成手段３は、画像読取手段２で得た画像データに基づいて所定のプロセススピードで搬送されている記録紙上に画像を形成する手段である。本実施の形態の画像形成手段３は、電子写真プロセスを用いて画像を形成するものである。画像形成手段３は、光導電性感光層を有しトナー像を担持する像担持体である感光体ドラム３１と、感光体ドラム３１を一様帯電する帯電器３２、ラインＣＣＤ２６で読み取った画像情報に基づいて、感光体ドラム３１上を露光して潜像を形成する露光手段であるレーザー書込系３３、感光体ドラム３１上の潜像を現像してトナー像を形成する現像器３４、感光体ドラム３１上に担持されたトナー像を、搬送されている記録紙上に転写する転写器３５、トナー像が転写された記録紙を感光体ドラム３１上から分離する分離器３６、転写された後に感光体ドラム３１上に残留したトナーを除去するクリーニング手段３７、記録紙上のトナー像を定着する定着手段３８を有している。そして、感光体ドラム３１の周囲に、帯電器３２、レーザー書込系３３、現像器３４、転写器３５、分離器３６、クリーニング手段３７が配置されている。
【００２４】
なお、本実施の形態では、感光体ドラム３１近傍に、レジストローラ５６から送り出された記録紙を搬送する搬送ローラ３９（図３参照）が設けられており、記録紙の搬送力アップに寄与させている。また、分離器３６と定着手段３８との間には、分離器３６によって分離された記録紙を搬送するために、記録紙の下面側（画像形成された側とは反対側）を支持し、搬送する搬送ベルト３９１（図３参照）を設けている。
【００２５】
記録紙収納手段４は、複数枚の記録紙を積層状態で収納する記録紙収納手段である。本実施の形態では、記録紙収納手段４として複数、即ち、第１記録紙収納手段４Ａ、第２記録紙収納手段４Ｂ、第３記録紙収納手段４Ｃを有しており、これら記録紙収納手段４Ａ〜４Ｃを、画像形成手段３の下方に多段配置している。これら記録紙収納手段４Ａ〜４Ｃに収納される記録紙としては、普通紙や再生紙などの記録紙等の種々の記録媒体がある。
【００２６】
搬送手段５は、記録紙収納手段４から画像形成手段３へと記録紙を搬送する搬送手段であり、各記録紙収納手段４Ａ〜４Ｃそれぞれに収納された記録紙を画像形成手段３へと搬送できるように構成されている。
【００２７】
図２は記録紙の搬送経路を拡大して模式的に示す図である。
搬送手段５を図２により説明する。搬送手段５による記録紙の搬送は、記録紙搬送路（符号なし）に沿って行われる。すなわち、各記録紙収納手段４Ａ〜４Ｃそれぞれに収納された記録紙は、図２に示すように、記録紙収納手段４から記録紙を送り出す第１搬送路ａと、第１搬送路ａを経て送り出される記録紙を搬送する中間搬送路ｂと、中間搬送路ｂを経て搬送される記録紙を画像形成手段３へと搬送する第２搬送路ｃとを有した搬送路に沿って、この搬送手段５によって搬送される。第１搬送路ａは、記録紙収納手段４からプレレジストローラ５３に至るまでの搬送路であり、図２において右方向、略水平方向への搬送路である。中間搬送路ｂは、プレレジストローラ５３からループ形成ローラ５５に至るまでの搬送路であり、図２において上方向への搬送路である。第２搬送路ｃは、ループ形成ローラ５５から転写器３５に至るまでの搬送路であり、図２において左方向への記録紙の搬送路である。
【００２８】
次に、搬送手段５の各構成（手段）について、説明する。
搬送手段５は、記録紙収納手段４に収納された記録紙の送り出し手段であるピックアップローラ５１、ピックアップローラ５１により送り出される記録紙を１枚ずつに分離するために、さばき搬送ローラ５２１と、さばきリタードローラ５２２とからなる分離手段５２、分離手段５２により分離された記録紙を一旦突き当てられた後、搬送を再開させる第１突き当て手段であるプレレジストローラ５３、プレレジストローラ５３により搬送される記録紙を搬送する中間搬送ローラである複数の中間搬送ローラ５４１〜５４３、該中間搬送ローラによって搬送される記録紙を搬送する第２ループ形成手段であるループ形成ローラ５５、ループ形成ローラ５５により搬送される記録紙が一旦突き当てられた後、搬送を再開させる第２突き当て手段であるレジストローラ５６、及び搬送ローラ３９を有している。
【００２９】
図３は引き出し可能なユニット６を拡大して示す断面図である。
本発明の画像形成装置は図３に示すように引き出し可能なユニット６を有しており、この実施形態のユニット６には、片面に画像が形成された記録紙を表裏反転して再び画像形成手段３に搬送する再給紙手段、搬送手段５の一部、定着手段３８、及び排紙手段が搭載されており、図４、図６に示すような画像形成装置本体から引き出すことができるように構成されている。即ち、ユニット６は再給紙手段、定着手段３８、及び排紙手段を有するが、前記の再給紙手段のみを搭載するように構成してもよい。
【００３０】
このようにユニット６は、後に説明するように、搬送手段５によって搬送された記録紙上に、画像形成手段３で画像が形成された記録紙を画像形成手段３に再給紙するための構成部を有するとともに、トナー像が定着された記録紙を定着手段３８から排出する定着排出ローラ６１、定着排出ローラ６１により排出された記録紙をそのまま機外へ排出する場合と表裏反転させた後、排出する或いは裏面に画像形成するために再給紙する場合とで搬送路を切り替える切替手段６２、再給紙される記録紙の表裏を反転させる反転手段６５、及び反転手段６５で反転された記録紙を画像形成手段３へ再給紙する再給紙路（再給紙手段）６６を有している。
【００３１】
尚、本発明に係わる、引き出し可能なユニット６に設けられている押止手段の詳細説明については図７を使って後記する。
【００３２】
次に、本実施の形態における引き出し可能なユニット６において、前記搬送手段５により搬送された記録紙が搬送不良となった際の処理機構を説明する。
【００３３】
図４は引き出し可能なユニット６の平面図。図５は引き出し可能なユニット６のうち給紙搬送部のみを拡大して示す断面図。図６（ａ）は、該ユニット６を複写機本体Ａより引き出した状態を示す断面図、図６（ｂ）は、該ユニット６の一部分を下方に開放した側面図である。以下、図３から図６を使って説明する。
【００３４】
図３に示すように、感光体ドラム３１に形成されたトナー像が転写器３５で転写された記録紙を感光体ドラム３１上から分離器３６で分離した後、記録紙を定着手段３８に搬送する搬送部材３９１が設けられている。定着手段３８で定着された記録紙を排紙部６２１に排紙せず、反転手段６５へ搬送する手段として、切替手段６２と一対の搬送ローラ５７が設けられている。
【００３５】
複写機本体Ａに固定した固定枠体Ａ１、Ａ２（図４に示す）にスライド可能に設けられたユニット案内部材８１、８２に、ユニット６を構成した支持枠体６Ａ、６Ｂの両端が支持固定され、ユニット６は複写機本体Ａより図示の手前側に引き出すことが出来る。そしてユニット６の下部位置には、該ユニット６の再給紙路６６を（後記の固定ガイド板６６Ａから）開放出来るようにするため、ユニット６に一端を回転自在に軸支した開閉可能なガイド板８０が設けられている。ユニット６側には搬送ローラ７０、７１が設けられ、該ガイド板８０側には搬送ローラ７０、７１と、一対となるように搬送ローラ７０１、７１１が各々設けられている。この一対の搬送ローラ７０と７０１、７１と７１１で搬送した記録紙をスイッチバックする反転手段６５がユニット６内に設けられ、反転手段６５には左右回転可能の一対の搬送ローラ６５１とスイッチバックする記録紙を案内する記録紙案内部７７が設けられている。
【００３６】
更に、スイッチバックした記録紙を再給紙路６６に搬送するため、ユニット６側に搬送ローラ７２、７３、７４、７５が設けられ、ガイド板８０側には搬送ローラ７２、７３、７４、７５と一対となるように搬送ローラ７２１、７３１、７４１、７５１が各々設けられている。再給紙路６６で給紙された記録紙を再び転写位置に搬送するため、ユニット６側に一対の搬送ローラ７６と、前記ループ形成ローラ５５、レジストローラ５６、搬送ローラ３９が各々設けられている。
【００３７】
更に、ループ形成ローラ５５を開放する可動案内部材５５１と、レジストローラ５６の下流側に設けられ搬送される記録紙を検知するするため、記録紙の搬送方向に対して直角方向に配列された複数の光源Ｌと、受光素子Ｓと共に、レジストローラ５６と、一対の搬送ローラ３９との間を開放する可動案内部材５６１とが設けられており、光源Ｌは可動案内部材５６１に、受光素子Ｓ（Ｓ１）は、支持枠体６Ａ、６Ｂに各々設けられている。複数の光源Ｌ（Ｌ１）と複数の受光素子Ｓ（Ｓ１）からなるセンサは搬送される記録紙の先端を検知して、検知結果から記録紙の搬送タイミングや傾きや片寄りが検知される。
【００３８】
次に、図４において、複写機本体Ａよりユニット６を引き出す構成を図６も参照して説明する。
【００３９】
複写機本体Ａを構成した固定枠体Ａ１、Ａ２に、ユニット案内部材８１、８２を案内する案内部材８１Ａ、８２Ａが固定して設けられ、そのユニット案内部材８１、８２にユニット６の支持枠体６Ａ、６Ｂの両端部が支持されている。更に、支持枠体６Ａ、６Ｂ又は固定枠体Ａ１、Ａ２には位置決め部６Ｃ、６Ｄ、６Ｅ、６Ｆを設け、ユニット６を複写機本体Ａの所定位置に設置している。支持枠体６Ａ、６Ｂには係止手段８３が設けられており、この係止手段８３が固定枠体Ａ１に係止され、ユニット６を複写機本体Ａとの保持状態を維持すると共に、操作レバー８４で係止手段８３の係止状態を解除してユニット６を複写機本体Ａより矢印Ｘの方向に引き出すことができる。
【００４０】
操作レバー８５は矢印Ｚの方向に回動可能に、ガイド板８０の端部に且つガイド板８０の延長方向に設けられていて、該操作レバー８５には、ガイド板８０と係止できる回動可能な後記する係止爪が設けられている。
【００４１】
ユニット６が画像形成装置本体に挿入（装着とも言う）されているときは、操作レバー８５と一体に回動可能な係止爪８６Ａ、８６Ｂにより固定部材である固定ピン８６２、８６３に係止されていて、ガイド板８０の前側端部（右端部とも言う）が図６（ａ）の実線で示すような状態にある。
【００４２】
次に、図４に対して側面図の関係にある図６（ａ）、（ｂ）により、複写機本体Ａよりユニット６を引き出し、ガイド板８０を開放した状態を説明する。
【００４３】
図６（ａ）に示すように、ユニット６が複写機本体Ａ内に挿入されているときは、支持枠体６Ａ、６Ｂに設けられた固定ピン８６２、８６３に、操作レバー８５と一体に作動する顎付きの係止爪８６Ａ、８６Ｂが係止しており、ガイド板８０の右端部がユニット６に結合されている。このようにしてガイド板８０により再給紙路６６が形成される。
【００４４】
ユニット６は、矢印Ｘ方向に移動させて、図６（ａ）の一点鎖線で示すように複写機本体Ａから引き出すことができる。そして、操作レバー８５を矢印Ｚで示すように回転することによって、固定ピン８６２、８６３と係止爪８６Ａ、８６Ｂとの係止を外すことができる。この係止解除によって、ガイド板８０は矢印Ｙで示すように回動して、再給紙路６６が開放され、詰まっている記録紙を取り出したり、メンテナンスを可能とする。
【００４５】
ガイド板８０には図４及び図６（ｂ）に示すようにワイヤ８８の一端が取り付けられており、ワイヤの他端は、コイルばね８７の一端に連結されている。コイルばね８７の他端はユニット６の枠に固定されている。コイルばね８７はガイド板８０の右端部の落下の際の衝撃を緩和している。
【００４６】
操作レバー８５は図示しないばねにより矢印Ｚと反対の方向に付勢されており、前記の操作レバー８５の操作でユニット８０の右端部が落下し、操作者の手から離れると、前記ばねの力で操作レバー８５は元の位置に戻り、図６（ａ）に示す状態になる。ユニット６を矢印Ｘと反対の方向に移動して、図６（ａ）の一点鎖線の位置から実線の位置になるように、画像形成装置本体に挿入すると、挿入装着動作の過程で、ガイド板８０は補助案内部材９１に設けたコロ９１１、及び補助案内部材９２に設けたコロ９２１により押し上げられて、自動的に、図６（ａ）の実線で示す位置、即ち再給紙路６６を形成する位置に復帰する。そして、ガイド板８０の右端部は係止爪８６Ａ、８６Ｂと固定ピン８６２、８６３との係止手段の作用でユニット６の枠に係止される。尚、コロ９１１、９２１が、回転可能に取り付けられているが、滑り性の高い、即ち摺動性の良い材料（部材とも言う）で形成することにより、ガイド板８０に対して、回転せずに滑り接触して、ガイド板８０を復帰させるようにしてもよい。
【００４７】
前記係止手段は、固定ピンや係止爪に替えてマグネットにしても良い。このマグネットは、後記の押止手段の押止動作時、その作動に対応して力を吸収できる弾性部材を組みつけておいても良い。
【００４８】
前記係止手段の固定部材である固定ピン８６２、８６３は、該固定ピンに替えて孔にして、該孔に係止爪８６Ａ、８６Ｂを挿入して係止可能にしても良い。
【００４９】
既説明の固定ピン８６２、８６３と係止爪８６Ａ、８６Ｂとの係止によるガイド板８０の高さ位置は、操作レバー８５のガイド板８０への組付け時の寸法公差による遊び、該固定ピンと係止爪を係合させ易くするための余裕分等があるために、ばらつきが生じてしまう。
【００５０】
この問題を改良するために補助案内部材上に押止手段を設けた構成について次に説明する。
【００５１】
図７は本発明に係わる、引き出し可能なユニットに設けられている押止手段を説明するための模式図である。
【００５２】
図７（ａ）は、弾性部材と位置決め部材とで構成される押止手段の側面図で、実線で表示してあるのは画像形成装置本体の所定位置までユニット６が挿入された位置の状態を示し、２点鎖線での表示は引き出された状態で示している。
【００５３】
図７（ｂ）は、押止手段の弾性部材と補助案内部材９１、９２とを示す上面図である。矢印Ｓは記録紙の搬送方向を示し、矢印Ｒはユニット６の挿入方向を示している。既記箇所の説明は略す場合もある。
【００５４】
押止手段Ｐは、弾性部材９１５、９２５と位置決め部材９１２、９２２との２セットで、この実施例は構成されている。該弾性部材９１５、９２５は、前後２つの垂直な板状の支持枠体６Ａ、６Ｂ（と左右の板状のユニット案内部材８１、８２図４参照）の下部位置に設けられている、ガイド板８０の通紙側に対する反対側の面に設けてある。該位置決め部材として配設されるコロ９１２、９２２は、ガイド板８０の弾性部材を有する面に対向する画像形成装置本体面に配設した補助案内部材９１、９２上に有って、ガイド板８０の右端部に近い位置に配置してある。
【００５５】
該コロ９１１、９２１の高さ寸法は、ユニット６が挿入される状態で、ガイド板８０が略水平なるような高さにし、且つ前記コロ９１２、９２２と同等か、やや低めに配設することが必要である。
【００５６】
前記弾性部材９１５、９２５は、バネ鋼板、燐青銅板、プラスチック、ゴム等の弾性を有する材料であれば何れでも良い。そして、図７（ａ）の例示する配設状態は、下側に湾曲した形状をしており、前記ユニット６の挿入時、必ず、コロ９１２、９２２に接触可能な状態で下側に湾曲していれば良い。
【００５７】
弾性部材９１５、９２５のセット状態は、２つのねじで固定する場合、長手方向即ち図７（ａ）を正面に見て左右方向に多少遊びを持たせるように弾性部材９１５、９２５に長孔を形成して、その長孔にねじ等でセットしても良い。
【００５８】
斯様な押止手段を設けることにより、従来の係止手段により再給紙路６６を形成した場合と比べ、ユニット６の挿入された所定位置で弾性部材９１５、９２５とコロ９１２、９２２とが接触し、弾性部材９１５、９２５を加圧する。その結果、弾性部材９１５、９２５に蓄えられる弾性エネルギーによる反発力が、押止手段を介してガイド板８０に作用し、該ガイド板８０の前側端部を支持枠体６Ｂの下端部６ＢＤに押止して、ガイド板８０の高さ方向の位置ばらつきを僅少にした位置精度の高い位置決めの可能な復元手段を実現した。
【００５９】
上記のように構成にした結果、再給紙路６６に設けられている記録紙を搬送するローラのニップ圧力分布が改良され、本発明の目的とする、記録紙の搬送性の問題を改良して、搬送性の安定した画像形成装置を提供することが出来た。
【００６０】
また、装置本体面とユニット板間に押止手段を設けたことで、画像形成装置の輸送時、或いは移動時等に生ずる振動により、装置本体に加わる衝撃力を弾性部材で吸収して、装置内部の破損を防止したり、引き出し可能なユニットの飛び出しを予防して破損を防止しすることができ、商品価値の向上も実現した。
【００６１】
【発明の効果】
係止手段の組み立て時の精度、即ち遊びにより、搬送用ローラのニップ圧力分布が悪く、記録紙の搬送に大きく影響を与えていたが、本発明によってニップ圧力分布が改良され、再通紙路内の記録紙の安定した搬送性を可能としたが画像形成装置を提供できた。
【図面の簡単な説明】
【図１】本発明の実施の形態で示すデジタル複写機の概略断面図である。
【図２】記録紙の搬送経路を拡大して模式的に示す図である。
【図３】引き出し可能なユニットを拡大して示す断面図である。
【図４】引き出し可能なユニットの平面図である。
【図５】引き出し可能なユニットの一部を拡大して示す断面図である。
【図６】引き出し可能なユニットの断面図及び側面図である。
【図７】本発明に係わる、引き出し可能なユニットに設けられている押止手段を説明するための模式図である。
【符号の説明】
６  ユニット
７０，７１，７２，７３，７４，７５，７６，７０１，７１１，７２１，７３１，７４１，７５１  搬送ローラ
９１１，９２１，９１２，９２２  コロ
６６  再給紙路
６６Ａ  固定ガイド板
８０  開閉可能なガイド板
８６Ａ，８６Ｂ  係止爪
８７  コイルばね
９１５，９２５  弾性部材
【図１】
2004231413.tif 000003
【図２】
2004231413.tif 000004
【図３】
2004231413.tif 000005
【図４】
2004231413.tif 000006
【図５】
2004231413.tif 000007
【図６】
2004231413.tif 000008
【図７】
2004231413.tif 000009